(57)【要約】【課題】本発明は鮮度保持野菜かごを開示した。【解決手段】野菜かごと野菜保存チャンバを含み、前記野菜かごの中にはＵ型溝が設置されており、前記Ｕ型溝の中には閉鎖機構が設置されており、前記閉鎖機構が移動溝を含み、前記移動溝の右端壁には移動ばねが固定的に設置されており、前記移動ばねの左端には前記移動溝とスライドできるように連結されている移動ブロックが固定的に設置されており、前記移動ブロックの上端には台形ブロックが固定的に設置されており、前記閉鎖機構の上側には鮮度保持機構が設置され、この装置は操作が便利で、構成が簡単であり、野菜を保存する基本の機能の上で野菜の表面に定時的に水をスプレーすることができ、且つ風通しが良く、野菜の鮮度を保証できる。【選択図】図１
2020175065.tif 000002
【特許請求の範囲】
【請求項１】
野菜かごと野菜保存チャンバを含み、前記野菜かごの中にはＵ型溝が設置されており、前記Ｕ型溝の中には閉鎖機構が設置されており、前記閉鎖機構が移動溝を含み、前記移動溝の右端壁には移動ばねが固定的に設置されており、前記移動ばねの左端には前記移動溝とスライドできるように連結されている移動ブロックが固定的に設置されており、前記移動ブロックの上端には台形ブロックが固定的に設置されており、前記閉鎖機構の上側には鮮度保持機構が設置されており、前記鮮度保持機構が作動チャンバを含み、前記作動チャンバの後端壁の中にはトーション溝が設置されており、前記トーション溝の後端壁には前端が前記作動チャンバの中に位置している回転軸が回転できるように設置されており、前記回転軸と前記トーション溝との間にはトーションばねが設置されており、前記作動チャンバの中の前記回転軸にはリールと円形ブロックが固定的に設置されており、前記円形ブロックの中には右端壁が前記作動チャンバに連通している弧状溝が設置されており、前記リールには左端が前記台形ブロックの右端面と固定的に連結されているロープが巻き付けられており、前記回転軸の上側には前記作動チャンバの後端壁と固定的に連結されている電池が設置されており、前記電池の中には二つの電極片が左右対称的に植設されており、前記作動チャンバの後端壁には前端壁が前記作動チャンバに連通している運動溝が左右対称的に設置されており、前記運動溝の中には運動ブロックがスライドできるように設置されており、二つの前記運動ブロックの前端には一つの横板が固定的に設置されており、前記横板の中には導電片が左右対称的に植設されており、前記横板の下端面には三角ブロックが固定的に設置されており、前記作動チャンバの後端壁には駆動軸を持つ駆動モータが固定的に設置されており、二つの前記導電片がそれぞれワイヤにより前記駆動モータと連通し、前記駆動軸には楕円ロッドが固定的に設置されており、前記作動チャンバの右端壁の中には液圧チャンバが設置されており、前記液圧チャンバの中には左端が前記作動チャンバの中に位置するピストンロッドがスライドできるように設置されており、前記ピストンロッドの左端にはＵ型ブロックが固定的に設置されており、前記液圧チャンバの右端壁の中には排水溝が設置されており、前記排水溝の左端壁にはノズルが植設されており、前記排水溝と前記液圧チャンバとの間には逆止弁が設置されており、前記排水溝の左端壁には上端壁が外部空間に連通している前記野菜保存チャンバが設置されており、前記野菜保存チャンバの後端壁には二十八個の通気孔が均一に分布されており、なお、前記閉鎖機構が前記野菜保存チャンバを閉鎖でき、前記鮮度保持機構が前記野菜保存チャンバにある野菜の鮮度を保つことができることを特徴とする鮮度保持野菜かご。
【請求項２】
前記閉鎖機構はまた前記野菜保存チャンバに関して左右対称である前記Ｕ型溝を含み、前記Ｕ型溝の中には二つの環状ブロックが左右対称的にスライドできるように設置されており、前記環状ブロックの前端面には活動軸が回転できるように設置されており、前記活動軸には閉じ板が固定的に設置されており、前記閉じ板の下端面には運動磁石が固定的に設置されており、前記閉じ板の上端面には活動磁石が固定的に設置されており、前記閉じ板の左端面には左端が外部空間に位置している取っ手が固定的に設置されており、前記野菜かごの中には中間溝が設置されており、前記中間溝の下端壁には前記運動磁石と互いに引きつけ合う定位磁石が固定的に設置されており、なお、前記環状ブロックが前記Ｕ型溝の中で回転できることを特徴とする請求項１に記載の鮮度保持野菜かご。
【請求項３】
前記鮮度保持機構はまた前記作動チャンバの後端壁と固定的に連結されている定位ロッドを含み、前記定位ロッドには斜ロッドが回転できるように設置されており、前記斜ロッドと前記定位ロッドとの間には定位ばねが設置されており、前記液圧チャンバの下端壁の中には貯水チャンバが設置されており、前記液圧チャンバと前記貯水チャンバとが一方向チャンバにより連通され、前記一方向チャンバの上端壁には二つの一方向ばねが左右対称的に固定的に設置されており、二つの前記一方向ばねの下端には一つの密封板が固定的に設置されており、前記貯水チャンバの中には浮力板がスライドできるように設置されており、前記浮力板の下端面には前記貯水チャンバの下端壁と固定的に連結されている浮力ばねが左右対称的に固定的に設置されており、前記貯水チャンバの下端壁には水平移動チャンバが設置されており、前記浮力板の下端面の中心には下端が前記水平移動チャンバの中に位置している凸ロッドが固定的に設置されており、前記水平移動チャンバの上端壁には弾力溝が設置されており、前記弾力溝の右端壁には弾力ばねが固定的に設置されており、前記弾力ばねの左端には前記弾力溝とスライドできるように連結されている弾力ブロックが固定的に設置されており、前記弾力ブロックの下端には張り出しロッドが固定的に設置されており、なお、前記凸ロッドが上昇して前記張り出しロッドを推し動かして左へ運動させることができることを特徴とする請求項１に記載の鮮度保持野菜かご。
【発明の詳細な説明】
【技術分野】
【０００１】
本発明は生活用品分野を取り上げて、具体的には鮮度保持野菜かごである。
【背景技術】
【０００２】
野菜かごは野菜を買う過程において持ち歩いて野菜を置く生活用品であり、しかし、現有の野菜かごの設計は野菜の鮮度保持を重視していなく、野菜を野菜かごに置く時間が長いと野菜の質が落ちることがよくある。
【先行技術文献】
【特許文献】
【０００３】
【特許文献１】中国特許出願公開第1907812号明細書
【発明の概要】
【発明が解決しようとする課題】
【０００４】
本発明は鮮度保持野菜かごを提供し、上記背景技術において提示された問題を解決することを目的とする。
【課題を解決するための手段】
【０００５】
上記の目的を実現するために、本発明が以下の技術プランを提供する：鮮度保持野菜かごは、野菜かごと野菜保存チャンバを含み、前記野菜かごの中にはＵ型溝が設置されており、前記Ｕ型溝の中には閉鎖機構が設置されており、前記閉鎖機構が移動溝を含み、前記移動溝の右端壁には移動ばねが固定的に設置されており、前記移動ばねの左端には前記移動溝とスライドできるように連結されている移動ブロックが固定的に設置されており、前記移動ブロックの上端には台形ブロックが固定的に設置されており、前記閉鎖機構の上側には鮮度保持機構が設置されており、前記鮮度保持機構が作動チャンバを含み、前記作動チャンバの後端壁の中にはトーション溝が設置されており、前記トーション溝の後端壁には前端が前記作動チャンバの中に位置している回転軸が回転できるように設置されており、前記回転軸と前記トーション溝との間にはトーションばねが設置されており、前記作動チャンバの中の前記回転軸にはリールと円形ブロックが固定的に設置されており、前記円形ブロックの中には右端壁が前記作動チャンバに連通している弧状溝が設置されており、前記リールには左端が前記台形ブロックの右端面と固定的に連結されているロープが巻き付けられており、前記回転軸の上側には前記作動チャンバの後端壁と固定的に連結されている電池が設置されており、前記電池の中には二つの電極片が左右対称的に植設されており、前記作動チャンバの後端壁には前端壁が前記作動チャンバに連通している運動溝が左右対称的に設置されており、前記運動溝の中には運動ブロックがスライドできるように設置されており、二つの前記運動ブロックの前端には一つの横板が固定的に設置されており、前記横板の中には導電片が左右対称的に植設されており、前記横板の下端面には三角ブロックが固定的に設置されており、前記作動チャンバの後端壁には駆動軸を持つ駆動モータが固定的に設置されており、二つの前記導電片がそれぞれワイヤにより前記駆動モータと連通し、前記駆動軸には楕円ロッドが固定的に設置されており、前記作動チャンバの右端壁の中には液圧チャンバが設置されており、前記液圧チャンバの中には左端が前記作動チャンバの中に位置するピストンロッドがスライドできるように設置されており、前記ピストンロッドの左端にはＵ型ブロックが固定的に設置されており、前記液圧チャンバの右端壁の中には排水溝が設置されており、前記排水溝の左端壁にはノズルが植設されており、前記排水溝と前記液圧チャンバとの間には逆止弁が設置されており、前記排水溝の左端壁には上端壁が外部空間に連通している前記野菜保存チャンバが設置されており、前記野菜保存チャンバの後端壁には二十八個の通気孔が均一に分布されており、なお、前記閉鎖機構が前記野菜保存チャンバを閉鎖でき、前記鮮度保持機構が前記野菜保存チャンバにある野菜の鮮度を保つことができる。
【０００６】
好ましくは、前記閉鎖機構はまた前記野菜保存チャンバに関して左右対称である前記Ｕ型溝を含み、前記Ｕ型溝の中には二つの環状ブロックが左右対称的にスライドできるように設置されており、前記環状ブロックの前端面には活動軸が回転できるように設置されており、前記活動軸には閉じ板が固定的に設置されており、前記閉じ板の下端面には運動磁石が固定的に設置されており、前記閉じ板の上端面には活動磁石が固定的に設置されており、前記閉じ板の左端面には左端が外部空間に位置している取っ手が固定的に設置されており、前記野菜かごの中には中間溝が設置されており、前記中間溝の下端壁には前記運動磁石と互いに引きつけ合う定位磁石が固定的に設置されており、なお、前記環状ブロックが前記Ｕ型溝の中で回転できる。
【０００７】
好ましくは、前記鮮度保持機構はまた前記作動チャンバの後端壁と固定的に連結されている定位ロッドを含み、前記定位ロッドには斜ロッドが回転できるように設置されており、前記斜ロッドと前記定位ロッドとの間には定位ばねが設置されており、前記液圧チャンバの下端壁の中には貯水チャンバが設置されており、前記液圧チャンバと前記貯水チャンバとが一方向チャンバにより連通され、前記一方向チャンバの上端壁には二つの一方向ばねが左右対称的に固定的に設置されており、二つの前記一方向ばねの下端には一つの密封板が固定的に設置されており、前記貯水チャンバの中には浮力板がスライドできるように設置されており、前記浮力板の下端面には前記貯水チャンバの下端壁と固定的に連結されている浮力ばねが左右対称的に固定的に設置されており、前記貯水チャンバの下端壁には水平移動チャンバが設置されており、前記浮力板の下端面の中心には下端が前記水平移動チャンバの中に位置している凸ロッドが固定的に設置されており、前記水平移動チャンバの上端壁には弾力溝が設置されており、前記弾力溝の右端壁には弾力ばねが固定的に設置されており、前記弾力ばねの左端には前記弾力溝とスライドできるように連結されている弾力ブロックが固定的に設置されており、前記弾力ブロックの下端には張り出しロッドが固定的に設置されており、なお、前記凸ロッドが上昇して前記張り出しロッドを推し動かして左へ運動させることができる。
【発明の効果】
【０００８】
本発明の有益効果は：この装置は操作が便利で、構成が簡単であり、野菜を保存する基本の機能の上で野菜の表面に定時的に水をスプレーすることができ、且つ風通しが良く、野菜の鮮度を保証できる。
【図面の簡単な説明】
【０００９】
以下に図１〜４を交えて本発明について詳しく説明する。便利に叙述するために、後文に出る方位を下記の通りに規定する：後文に出る上下左右前後方向は図１本体の投影関係の上下左右前後方向と一致する。
【００１０】
【図１】図１は本発明の鮮度保持野菜かご全体断面の正面構成模式図
【図２】図２は本発明の鮮度保持野菜かごの中の円形ブロックの拡大構成模式図
【図３】図３は本発明の鮮度保持野菜かごの中の浮力板の拡大構成模式図
【図４】図４は本発明の鮮度保持野菜かごの中の回転軸の平面断面構成模式図
【発明を実施するための形態】
【００１１】
本発明書に開示した全ての特徴、或いは開示した全ての方法、過程中のステップは、互いに排斥する特徴或いはステップ以外に、いかなる方式で組み合わせることができる。    
【００１２】
図１〜４を参照し、本発明の鮮度保持野菜かごは、野菜かご１０と野菜保存チャンバ２７を含み、前記野菜かご１０の中にはＵ型溝１８が設置されており、前記Ｕ型溝１８の中には閉鎖機構７０が設置されており、前記閉鎖機構７０が移動溝４３を含み、前記移動溝４３の右端壁には移動ばね４１が固定的に設置されており、前記移動ばね４１の左端には前記移動溝４３とスライドできるように連結されている移動ブロック４２が固定的に設置されており、前記移動ブロック４２の上端には台形ブロック４４が固定的に設置されており、前記閉鎖機構７０の上側には鮮度保持機構７１が設置されており、前記鮮度保持機構７１が作動チャンバ３８を含み、前記作動チャンバ３８の後端壁の中にはトーション溝２２が設置されており、前記トーション溝２２の後端壁には前端が前記作動チャンバ３８の中に位置している回転軸４７が回転できるように設置されており、前記回転軸４７と前記トーション溝２２との間にはトーションばね２５が設置されており、前記作動チャンバ３８の中の前記回転軸４７にはリール４６と円形ブロック３５が固定的に設置されており、前記円形ブロック３５の中には右端壁が前記作動チャンバ３８に連通している弧状溝６２が設置されており、前記リール４６には左端が前記台形ブロック４４の右端面と固定的に連結されているロープ３９が巻き付けられており、前記回転軸４７の上側には前記作動チャンバ３８の後端壁と固定的に連結されている電池６８が設置されており、前記電池６８の中には二つの電極片４９が左右対称的に植設されており、前記作動チャンバ３８の後端壁には前端壁が前記作動チャンバ３８に連通している運動溝５０が左右対称的に設置されており、前記運動溝５０の中には運動ブロック５１がスライドできるように設置されており、二つの前記運動ブロック５１の前端には一つの横板５２が固定的に設置されており、前記横板５２の中には導電片５３が左右対称的に植設されており、前記横板５２の下端面には三角ブロック５８が固定的に設置されており、前記作動チャンバ３８の後端壁には駆動軸５７を持つ駆動モータ５５が固定的に設置されており、二つの前記導電片５３がそれぞれワイヤ５４により前記駆動モータ５５と連通し、前記駆動軸５７には楕円ロッド５６が固定的に設置されており、前記作動チャンバ３８の右端壁の中には液圧チャンバ３０が設置されており、前記液圧チャンバ３０の中には左端が前記作動チャンバ３８の中に位置するピストンロッド３４がスライドできるように設置されており、前記ピストンロッド３４の左端にはＵ型ブロック３６が固定的に設置されており、前記液圧チャンバ３０の右端壁の中には排水溝２９が設置されており、前記排水溝２９の左端壁にはノズル２８が植設されており、前記排水溝２９と前記液圧チャンバ３０との間には逆止弁３１が設置されており、前記排水溝２９の左端壁には上端壁が外部空間に連通している前記野菜保存チャンバ２７が設置されており、前記野菜保存チャンバ２７の後端壁には二十八個の通気孔２６が均一に分布されており、なお、前記閉鎖機構７０が前記野菜保存チャンバ２７を閉鎖でき、前記鮮度保持機構７１が前記野菜保存チャンバ２７にある野菜の鮮度を保つことができる。
【００１３】
有益的には、前記閉鎖機構７０はまた前記野菜保存チャンバ２７に関して左右対称である前記Ｕ型溝１８を含み、前記Ｕ型溝１８の中には二つの環状ブロック１２が左右対称的にスライドできるように設置されており、前記環状ブロック１２の前端面には活動軸１３が回転できるように設置されており、前記活動軸１３には閉じ板６９が固定的に設置されており、前記閉じ板６９の下端面には運動磁石１１が固定的に設置されており、前記閉じ板６９の上端面には活動磁石２４が固定的に設置されており、前記閉じ板６９の左端面には左端が外部空間に位置している取っ手２３が固定的に設置されており、前記野菜かご１０の中には中間溝７３が設置されており、前記中間溝７３の下端壁には前記運動磁石１１と互いに引きつけ合う定位磁石４５が固定的に設置されており、なお、前記環状ブロック１２が前記Ｕ型溝１８の中で回転できる。
【００１４】
有益的には、前記鮮度保持機構７１はまた前記作動チャンバ３８の後端壁と固定的に連結されている定位ロッド６１を含み、前記定位ロッド６１には斜ロッド５９が回転できるように設置されており、前記斜ロッド５９と前記定位ロッド６１との間には定位ばね６０が設置されており、前記液圧チャンバ３０の下端壁の中には貯水チャンバ６７が設置されており、前記液圧チャンバ３０と前記貯水チャンバ６７とが一方向チャンバ１５により連通され、前記一方向チャンバ１５の上端壁には二つの一方向ばね１４が左右対称的に固定的に設置されており、二つの前記一方向ばね１４の下端には一つの密封板１６が固定的に設置されており、前記貯水チャンバ６７の中には浮力板１７がスライドできるように設置されており、前記浮力板１７の下端面には前記貯水チャンバ６７の下端壁と固定的に連結されている浮力ばね１９が左右対称的に固定的に設置されており、前記貯水チャンバ６７の下端壁には水平移動チャンバ２１が設置されており、前記浮力板１７の下端面の中心には下端が前記水平移動チャンバ２１の中に位置している凸ロッド２０が固定的に設置されており、前記水平移動チャンバ２１の上端壁には弾力溝６５が設置されており、前記弾力溝６５の右端壁には弾力ばね６６が固定的に設置されており、前記弾力ばね６６の左端には前記弾力溝６５とスライドできるように連結されている弾力ブロック６４が固定的に設置されており、前記弾力ブロック６４の下端には張り出しロッド６３が固定的に設置されており、なお、前記凸ロッド２０が上昇して前記張り出しロッド６３を推し動かして左へ運動させることができる。
【００１５】
以下、出願人は付図１−４及び上記の本出願の鮮度保持野菜かごの具体的な構成を参照して本出願の鮮度保持野菜かごの使用方法を詳しく紹介する：
【００１６】
野菜を野菜保存チャンバ２７の中に入れ、二つの閉じ板６９を下へ引き、且つ回転させ、これにより二つの活動磁石２４が互いに吸引し合い、二つの閉じ板６９が野菜保存チャンバ２７を閉じ、移動ばね４１が左へ復帰し、ロープ３９を引き動かし、これにより回転軸４７を連動させて回転させ、これにより弧状溝６２が回転軸４７とともに三角ブロック５８の位置まで回転し、三角ブロック５８が下降して弧状溝６２の中に入り、二つの導電片５３を連動させてそれぞれ左側と右側の電極片４９と接触させ、ワイヤ５４の伝導により駆動モータ５５を通電させ、駆動軸５７を連動させて回転させ、これにより楕円ロッド５６を連動させて回転させ、Ｕ型ブロック３６を推し動かして左右へ繰り返して運動させ、これにより液圧チャンバ３０にある水をノズル２８から同じ時間の間隔で野菜にスプレーし、これにより野菜の鮮度を保ち、貯水チャンバ６７にある水がなくなった時、浮力ばね１９が復帰して凸ロッド２０を連動させて上昇させ、これにより張り出しロッド６３を推し動かして左へ運動させ、張り出しロッド６３が斜ロッド５９を推し動かして回転させ、これにより導電片５３を推し動かして電極片から離れ、これにより水噴きが停止する。
【００１７】
本発明の有益効果は：この装置は操作が便利で、構成が簡単であり、野菜を保存する基本の機能の上で野菜の表面に定時的に水をスプレーすることができ、且つ風通しが良く、野菜の鮮度を保証できる。
【００１８】
以上に述べたのはただ本発明の具体的な実施方式で、しかし本発明の保護範囲はここに限らないである。全部の創造的な労働を通じなく思いついた変化と取替は本発明の保護範囲にカバーされる。だから本発明の保護範囲は権利要求書が限定される保護範囲を標準とする。
【図１】
2020175065.tif 000003
【図２】
2020175065.tif 000004
【図３】
2020175065.tif 000005
【図４】
2020175065.tif 000006